(57)【特許請求の範囲】
【請求項１】
被検者の体内に電流路を形成するための一対の電流路形成電極、及び前記電流路における二点間の電圧を測定するための一対の電圧測定用電極からなる電極群と、
重量測定手段に接続され、被検者の体重を受けて該被検者の体重を測定することができる基準台と、
前記基準台の上に設けられ、上面に前記電極群が配設される電極台と、を有し、
被検者が前記電極台の上に載ることにより、被検者の体重を測定できるとともに、両足の裏面を前記電極群に接触させることによって該電極群を介した生体インピーダンスを測定することができ、
前記測定された体重を含む被検者の個人データと、測定された生体インピーダンスとに基づいて体脂肪率を求めることができ、
前記電極群が、少なくとも、被検者の一方の足に接触させるための一の電流路形成電極及び一の電圧測定用電極と、被検者の他方の足に接触させるための他の電流路形成電極及び他の電圧測定用電極と、を有しており、
前記一の電流路形成電極と一の電圧測定用電極とを、前記基準台の横方向に対する斜めをなし、基準台の外側から内側に向かって互いに近づく第一の二つの方向に沿って移動させるとともに、
前記他の電流路形成電極と他の電圧測定用電極とを、前記基準台の横方向に対する斜めをなし、基準台の外側から内側に向かって互いに近づく第二の二つの方向に沿って移動させることにより、
前記一の電流路形成電極及び一の電圧測定用電極と前記他の電流路形成電極及び他の電圧測定用電極とを相対的に前記基準台の横方向に移動させるとともに、
前記一の電流路形成電極と一の電圧測定用電極とを相対的に前記基準台の前後方向に沿って移動させることができ、前記他の電流形成電極と他の電圧測定用電極とを相対的に前記基準台の前後方向に沿って移動させることもできる、電極移動型体脂肪計。
【請求項２】
被検者の体内に電流路を形成するための一対の電流路形成電極、及び前記電流路における二点間の電圧を測定するための一対の電圧測定用電極からなる電極群と、
重量測定手段に接続され、被検者の体重を受けて該被検者の体重を測定することができる基準台と、
前記基準台の上に設けられ、上面に前記電極群が配設される電極台と、を有し、
被検者が前記電極台の上に載ることにより、被検者の体重を測定できるとともに、両足の裏面を前記電極群に接触させることによって該電極群を介した生体インピーダンスを測定することができ、
前記測定された体重を含む被検者の個人データと、測定された生体インピーダンスとに基づいて体脂肪率を求めることができ、
前記電極群が、少なくとも、被検者の一方の足に接触させるための一の電流路形成電極及び一の電圧測定用電極と、被検者の他方の足に接触させるための他の電流路形成電極及び他の電圧測定用電極と、を有しており、
前記電極台が、前記一の電流路形成電極及び一の電圧測定用電極が配設される一の電極台と、前記他の電流路形成電極及び他の電圧測定用電極が配設される他の電極台とに分離され、かつ、一の電極台が一の電流路形成電極が配設される第一の部分と一の電圧測定用電極が配設される第二の部分とに分離されるとともに、他の電極台が他の電流路形成電極が配設される他の第一の部分と他の電圧測定用電極が配設される他の第二の部分とに分離されており、
前記各電極台における第一の部分と第二の部分とを、前記基準台の横方向に対する斜めをなし、基準台の外側から内側に向かって互いに近づく二つの方向に沿って移動させることにより、前記一の電極台の第一の部分及び第二の部分と前記他の電極台の他の第一の部分及び他の第二の部分とを相対的に前記基準台の横方向に移動させるとともに、前記一の電極台の第一の部分と第二の部分とを相対的に前記基準台の前後方向に沿って移動させることができ、前記他の電極台の他の第一の部分と他の第二の部分とを相対的に前記基準台の前後方向に沿って移動させることもできる、電極移動型体脂肪計。
【請求項３】
前記基準台の表面に、該基準台の横方向に対する斜めをなし基準台の外側から内側に向かって互いに近づく凹部及び／又は凸部が、基準台の右側の領域と左側の領域とに形成されており、前記一の電極台の第一の部分及び第二の部分の下面が、前記基準台の右側の領域の凹部及び／又は凸部と互いに嵌め合わせるように形成されており、
前記他の電極台の他の第一の部分及び他の第二の部分の下面が、前記基準台の左側の領域の凹部及び／又は凸部と互いに嵌め合わせるように形成されており、
前記一の電極台の第一の部分及び第二の部分と前記他の電極台の他の第一の部分及び他の第二の部分とを相対的に前記基準台の横方向に移動させるとともに、前記一の電極台の第一の部分と第二の部分とを相対的に前記基準台の前後方向に沿って移動させることができ、前記他の電極台の他の第一の部分と他の第二の部分とを相対的に前記基準台の前後方向に沿って移動させることもできる、請求項２に記載の電極移動型体脂肪計。
【発明の詳細な説明】
【０００１】
【発明の属する技術分野】
この発明は、被検者の生体インピーダンスを測定するとともに、体重を測定することもできる体脂肪計に関する。
【０００２】
【従来の技術】
従来より健康維持の観点から体内脂肪の指標となる体脂肪率が注目されている。体内脂肪が増加すると成人病等を引き起こす原因となるので、体脂肪率を測定して体内脂肪を知ることにより成人病の予防を図ることができる。この体脂肪率を測定するための機器として体脂肪計が知られている。
【０００３】
体脂肪計は、被検者の人体のインピーダンスである生体インピーダンスと、体重等の被検者の個人データとに基づいて体脂肪率を求め得るようにされている。即ち、体脂肪計には、被検者の人体の両末端間に電流路を形成するための一対の電流路形成電極及び該電流路内における人体の両末端の電位差を測定するための一対の電圧測定用電極からなる四つの電極が配設されている。そして、これらの電極は、人体の一方の末端に一の電流路形成電極及び一の電圧測定用電極を、人体の他方の末端に他の電流路形成電極及び他の電圧測定用電極を接触させ得るように配設されており、かかる四つの電極を介して人体の両末端間の生体インピーダンスを測定できるようにされている。
【０００４】
また、体脂肪計には操作キー等も配設されており、該操作キーの操作によって前記個人データを入力できるようにもされている。そして、前記電極を介して測定された生体インピーダンスと個人データとに基づいて体脂肪率が演算されるようになっている。
【０００５】
かかる体脂肪計として、例えば、特公平５−４９０５０に開示されたものがある。同公報に開示された体脂肪計は、体重計に体脂肪計が一体に組み込まれた構成とされている。この体脂肪計にあっては、体重を測定するための測定台の表面に前記電極が配設されており、被検者が測定台に載ると、体重を測定できるとともに、各足の足の裏に二つずつ接触するように配設された電極を介して両足の足の裏を末端とする生体インピーダンスを測定できるようにもなっている。
【０００６】
また、実開平５−４１５０５においても、測定面に電極が配設された体脂肪計が開示されている。同公報に開示された体脂肪計にあっては、被検者の各足の足の裏に接触させるための足先用及び踵用の電極が、被検者が測定面に両足で載った際に両足が互いに接触しない状態で安定して直立姿勢が取れる間隔に配設されている。この体脂肪計についても、被検者が測定面に直立姿勢で載った状態における、両足の裏を末端とする生体インピーダンスが測定される。
【０００７】
また、特開平７−１０８０４０には、測定台の上に足用の電極部が載せられた体脂肪計が開示されており、この体脂肪計についても、その電極部の上に載ることによって、体重を測定できるともに、両足の足の裏を末端とする生体インピーダンスを測定できるようにされている。
【０００８】
【発明が解決しようとする課題】
ここで、上記説明した被検者が測定台に載ることによって生体インピーダンスを測定できる体脂肪計にあっては、両足の裏に接触させ得るように配設された電極は、測定台の表面の所定の位置に固定して設置されている。
【０００９】
そして、かかる電極の配置は、被検者が各足の足の裏を各足用の二つの電極に接触させるようにして測定台に載った状態で、被検者の両足を適当な間隔に広げさせ、また、被検者が安定した直立姿勢を取ることができるように、各電極が適当に離間した位置に配置されている。
【００１０】
即ち、被検者の両足を適当な間隔に広げさせることによって両足が接触することによる生体インピーダンスの測定誤差を防ぎ、また、直立姿勢を取らせて足の裏を確実に電極に接触させることにより安定して生体インピーダンスを測定できるように、各電極を一定距離離間させた位置に配置している。また、生体インピーダンスを安定して測定できるように、電極を大きくしたものや、踵のガイドが設けられるものもある。
【００１１】
しかし、被検者の足の裏に前記各電極を安定して接触させるための、該各電極の相対的な位置は、被検者の身長等の個人差によるものである。即ち、子供と大人とでは、安定した姿勢で両足を広げた際の左右の足間の幅は異なるのであり、従って、左右の足に安定して電極を接触させることのできる該電極の位置も異なるものである。
【００１２】
また、例え身長が同じであっても（足の長さが同じであっても）、足の太さ（足の肥満の度合い等）に応じて両足を接触させないための左右の足間の距離は異なるものであり、左右の足間の距離を最適とするための電極の位置は異なる。さらに、被検者の足のサイズによっても、各足用の電流路形成電極と電圧測定用電極とを離間させるべき相対的な位置は異なる。
【００１３】
そこで、本発明は、被検者の体格等に応じて、生体インピーダンスを測定するための各電極の位置を自在に調整することができる電極移動型体脂肪計を提供することを目的とする。
【００１４】
【課題を解決するための手段】
上記課題を解決するため、本発明は、被検者の体内に電流路を形成するための一対の電流路形成電極、及び前記電流路における二点間の電圧を測定するための一対の電圧測定用電極からなる電極群と、重量測定手段に接続され、被検者の体重を受けて該被検者の体重を測定することができる基準台と、前記基準台の上に設けられ、上面に前記電極群が配設される電極台とを有し、被検者が前記電極台の上に載ることにより、被検者の体重を測定できるとともに、両足の裏面を前記電極群に接触させることによって該電極群を介した生体インピーダンスを測定することができ、前記測定された体重を含む被検者の個人データと、測定された生体インピーダンスとに基づいて体脂肪率を求めることができ、前記電極群が、少なくとも、被検者の一方の足に接触させるための一の電流路形成電極及び一の電圧測定用電極と、被検者の他方の足に接触させるための他の電流路形成電極及び他の電圧測定用電極とを相対的に基準台の横方向に沿って移動させ得るように構成された電極移動型体脂肪計である。
【００１５】
この電極移動型体脂肪計によると、上記電極群について、少なくとも、前記一の電流路形成電極及び一の電圧測定用電極と、前記他の電流路形成電極及び他の電圧測定用電極とを相対的に基準台の横方向に沿って移動させることができる。これにより、少なくとも、被検者の足の長さや足の太さ等の体格による左右の足間の幅に応じた前記電極群の横方向の位置の変更を行うことができる。これにより、被検者の体格に応じて被検者の足の裏に安定して電極を接触させることができ、被検者の生体インピーダンスをより正確に測定することができる。従って、当該生体インピーダンスと、前記個人データとから求められる体脂肪率についても、より正確に求めることができる。
【００１６】
そして、前記電極移動型体脂肪計について、さらに、前記各足に接触する電流路形成電極と電圧測定用電極とを相対的に基準台の前後方向に沿って移動させ得るように構成することもできる。これにより、被検者の足のサイズに合わせて各足用の電極の位置を前後方向に変更することが可能であり、被検者の足の裏により確実に電極を接触させることができ、被検者の生体インピーダンスをより正確に測定することができる。
【００１７】
また、前記電極台を、前記一の電流路形成電極及び一の電圧測定用電極が配設される一の電極台と、前記他の電流路形成電極及び他の電圧測定用電極が配設される他の電極台とに分離し、前記一の電極台の下面及び他の電極台の下面と、前記基準台の表面とを、基準台の横方向に沿った凹凸によって互いに嵌め合わせるように形成し、前記一の電極台と他の電極台とを、前記基準台の凹凸に嵌め合わされる部分に沿って、移動させ得るように構成することもできる。
【００１８】
これにより、前記一の電極台と前記他の電極台とを相対的に横方向に沿って移動させることができ、前記電極台に被検者が載って電極群に足を接触させるにあたり、電極の位置を被検者の体格に合わせた最適な横方向の足の位置とすることができる。また、この体脂肪計によると、前記基準台と電極台とを凹凸によって互いに嵌め合わすようにしているので、被検者が電極台に載った場合に基準台との間で安定させることができる。これにより、電極台に配設された電極と足の裏との接触を安定させることができ、生体インピーダンスの測定を安定に行うことができるとともに、体重の測定を安定に行うこともできる。
【００１９】
また、前記電極移動型体脂肪計について、前記一の電流路形成電極と一の電圧測定用電極とを、前記横方向に対する斜めをなし、基準台の外側から内側に向かって互いに近づく第一の二つの方向に沿って移動させるとともに、前記他の電流路形成電極と他の電圧測定用電極とを、前記横方向に対する斜めをなし、基準台の外側から内側に向かって互いに近づく第二の二つの方向に沿って移動させることにより、前記一の電流路形成電極及び一の電圧測定用電極と前記他の電流路形成電極及び他の電圧測定用電極とを、相対的に横方向に移動させるとともに、前記一の電流路形成電極と一の電圧測定用電極とを相対的に前後方向に沿って移動させることができ、前記他の電流路形成電極と他の電圧測定用電極とを相対的に前後方向に沿って移動させるように構成することもできる（請求項１）。
【００２０】
この電極移動型体脂肪計によると、前記電極群を、被検者の体格に合わせて横方向へ移動させるとともに、同時に、被検者の足のサイズに合わせて前後方向に移動させることもできる。これにより、多くの被検者にあてはまる、身長等の体格（即ち、足の長さに伴う左右の足間の幅）に見合って足のサイズが変化するという事情に対応させて、電極群の横方向への位置の変更と前後方向の位置の変更とを同時に行えるので、前記生体インピーダンスを正確に測定するための電極の位置の変更を容易に行うことができる。
【００２１】
また、前記電極台を、前記一の電流路形成電極及び一の電圧測定用電極が配設される一の電極台と、前記他の電流路形成電極及び他の電圧測定用電極が配設される他の電極台とに分離し、かつ、一の電極台を一の電流路形成電極が配設される第一の部分と一の電圧測定用電極が配設される第二の部分とに分離するとともに、他の電極台を他の電流路形成電極が配設される他の第一の部分と他の電圧測定用電極が配設される他の第二の部分とに分離し、前記各電極台における第一の部分と第二の部分とを、前記横方向に対する斜めをなし、基準台の外側から内側に向かって互いに近づく二つの方向に沿って移動させることにより、前記一の電極台の第一の部分及び第二の部分と前記他の電極台の他の第一の部分及び他の第二の部分とを相対的に横方向に移動させるとともに、前記一の電極台の第一の部分と第二の部分とを相対的に前後方向に沿って移動させることができ、前記他の電極台の他の第一の部分と他の第二の部分とを相対的に前後方向に沿って移動させるように構成することもできる（請求項２）。
【００２２】
かかる体脂肪計においては、前記第一の部分に配設される一の電流路形成電極及び第二の部分に配設される電圧測定用電極と、他の第一の部分に配設される他の電流路形成電極及び他の第二の部分に配設される他の電圧測定用電極とを、相対的に横方向に移動させるとともに、同時に、第一の部分に配設される一の電流路形成電極と第二の部分に配設される電圧測定用電極とを相対的に前後方向に沿って移動させ、また、他の第一の部分に配設される他の電流路形成電極と他の第二の部分に配設される他の電圧測定用電極とを相対的に前後方向に沿って移動させることができる。
【００２３】
これにより、電極群の横方向への位置の変更と前後方向の位置の変更とを同時に行うことができ、前記生体インピーダンスを正確に測定するための電極の位置の変更を容易に行うことができる。
【００２４】
また、かかる電極移動型体脂肪計について、前記基準台の表面に、該基準台の横方向に対する斜めをなし基準台の外側から内側に向かって互いに近づく凹部及び／又は凸部を、基準台の右側の領域と左側の領域とに形成し、前記一の電極台の第一の部分及び第二の部分の下面を、前記基準台の右側の領域の凹部及び／又は凸部と互いに嵌め合わせるように形成し、前記他の電極台の他の第一の部分及び他の第二の部分の下面を、前記基準台の左側の領域の凹部及び／又は凸部と互いに嵌め合わせるように形成し、前記一の電極台の第一の部分及び第二の部分と前記他の電極台の他の第一の部分及び他の第二の部分とを相対的に横方向に移動させるとともに、前記一の電極台の第一の部分と第二の部分とを相対的に前後方向に沿って移動させることができ、前記他の電極台の他の第一の部分と他の第二の部分とを相対的に前後方向に沿って移動させるように構成することができる（請求項３）。
【００２５】
かかる電極移動型体脂肪計についても、前記電極群の横方向への位置の変更と前後方向の位置の変更とを同時に行うことができ、前記生体インピーダンスを正確に測定するための電極の位置の変更を容易に行うことができる。加えて、前記基準台と電極台とを凹凸によって互いに嵌め合わすようにしているので、被検者が電極台に載った場合に基準台との間での安定が図られる。これにより、電極台に配設された電極と足の裏との接触を安定させることができ、生体インピーダンスの測定を安定に行うことができるとともに、体重の測定を安定に行うこともできる。
【００２６】
【発明の実施の形態】
本発明の実施の形態について、図１乃至図６に基づいて説明する。
【００２７】
図１は本発明の一の実施形態である電極移動型体脂肪計１を示しており。図１（ａ）が体脂肪計１を上から眺めた平面図であり、図１（ｂ）が体脂肪計１の右側面図である。
【００２８】
電極移動型体脂肪計１は、電子体重計に体脂肪計が組み込まれた構成とされており、本体２と電極台６、７とを備えている。そして、被検者が本体２の上に配設される電極台６、７の上に、該電極台６、７の電極８、９、１０、１１に各足の足の裏を接触させるようにして載ると、後に説明するように、前記電極を介した生体インピーダンスの測定と本体２による体重の測定とを行えるようにされている。そして、測定された生体インピーダンスと体重とに基づいて体脂肪率を求め得るようにされている。
【００２９】
本体２の先端には、操作パネル部５が設けられており、操作パネル部５には操作部１２と表示部１３が配設されている。操作部１２は、体脂肪率を求める上で必要である被検者の個人データを入力するためのものであり、個人データを入力するための多くの操作キーを備えている。
【００３０】
そして、個人データには被検者の身長データや性別等があるが、操作部１２には、個人データの項目の選択を行うための選択キーと数値データを入力するための数値キーとが備わっている。また、操作部１２には、生体インピーダンスの測定を開始するための測定開始スイッチも設けられている。なお、個人データの一つに含まれる体重データについては、後に説明する本体２によって測定される体重値が用いられる。
【００３１】
表示部１３には、前記操作部１２を介して入力された各種のデータや、本体２によって測定された体重値が表示され、また、最終的な測定結果としての体脂肪率も表示される。
【００３２】
また、本体２には基準台３が形成されている。この基準台３は、本体内部において重量測定手段であるロードセル１４に接続されており、該基準台３の上に載置されたものの重量を測定できるようになっている。この基準台３の表面には横方向Ｌ１に沿って凹状をなす溝４が形成されており、基準台３の表面と後に説明する電極台６、７の下面とを横方向Ｌ１に沿って互いに凹凸に嵌め合せるようにされている。
【００３３】
また、本体２における、前記溝４が形成される位置の左右の側部には、ストッパ１５、１６が設けられている。かかるストッパ１５により電極台６が基準台３より右外側に外れないようにされており、ストッパ１６により左足用の電極台７が基準台３より左外側に外れないようにされている。また、かかるストッパ１５、１６は、電極台６、７に足を載せたときに邪魔にならないように、電極台の上面の高さより低い位置に設けられている。
【００３４】
電極台６には被検者の右足が載せられ、電極台７には被検者の左足が載せられる。そして、被検者が電極台６、７に載ることによって、前記本体２による被検者の体重の測定を行える。
【００３５】
そして、右足用の電極台６の上面には、被検者の右足の足の裏の足先部分に接触させるための電極８が、被検者の右足の踵部分に接触させるための電極１０が配設されている。また、左足用の電極台７の上面には、被検者の左足の足の裏の足先部分に接触させるための電極９が、被検者の左足の踵部分に接触させるための電極１１が配設されている。
【００３６】
電極８、９は、左右の足の裏の足先部分を両末端として人体の内部に電流路を形成するための一対の電流路形成電極である。また、電極１０、１１は、前記電流路における、左右の踵部分間の電位差を測定するための一対の電圧測定用電極である。これらの電極８、９、１０、１１は、体脂肪計１内部に設けられる電流源と電圧計とを備えてなる周知のインピーダンス計測手段に接続されており、前記電極を介する人体の生体インピーダンスの測定を行えるようにされている。
【００３７】
そして、電極台６、７の下面には、図１（ｂ）の６ａに示されるような凸状部分が形成されており、前記基準台３の表面の溝４と、横方向Ｌ１に沿って互いに凹凸に嵌め合わせるようにされている。そして、右足用の電極台６と左足用の電極台７とを、横方向Ｌ１に沿って自在に移動させ得るようにされている。これにより、右足用の電極８、１０と左足用の電極９、１１とを、被検者の横方向の左右の足間の幅（被検者の足の長さや太さに応じて変化する）に対応させて位置を変更することができる。
【００３８】
これにより、生体インピーダンスを測定するにあたり、被検者の体格に合わせて電極の位置の調整を自在に行えるので、両足間の接触を防ぐことができる一方、安定した直立姿勢を取ることにより足の裏を確実に電極に接触させることもできる。
【００３９】
次に、この体脂肪計１の、体重や体脂肪率の測定にかかるデータ処理のブロックについて、図２に基づいて説明する。図２は、体脂肪計１のデータ処理にかかるブロック図である。体脂肪率を求める等の各種の演算等の処理は、記憶部１７とＣＰＵ１８とを備えて構成される演算処理部により行われる。記憶部１７には、操作部１２の操作を介して入力された個人データや電極８、９等を介して測定された生体インピーダンスの測定値が記憶され、また、ロードセル１４によって測定された被検者の体重データも記憶される。
【００４０】
また、記憶部１７には、生体インピーダンスと個人データとに基づく体脂肪率を求めるために必要な各種の演算式や係数等が記憶されている。また、記憶部１７には基準台３上の電極台６、７や電極８、９等の重量が予め記憶されており、電極台６、７上に被検者が載った状態でロードセル１４によって検出される重量のうち、被検者の体重のみを測定できるようになっている。
【００４１】
そして、記憶部１７に記憶される前記データや演算式に基づく体脂肪率を求める演算は、ＣＰＵ１８の動作に基づいて実行される。また、各データ処理の過程における、各部間の前記データの入出力は、入出力（Ｉ／Ｏ）部１９を介して行われる。即ち、操作部１２の操作を介した個人データの記憶部１７への入力や、電極８、９等を介して測定された生体インピーダンス、及びロードセル１４によって測定された体重の記憶部１７への入力は入出力部１９を介して行われ、また、最終的に求められた体脂肪率は入出力部１９を介して表示部１３へ出力され表示される。
【００４２】
次に、本発明の他の実施形態について説明する。図３は本発明の他の実施形態である電極移動型体脂肪計２０を示しており、図３（ａ）が体脂肪計２０を上から眺めた平面図であり、図３（ｂ）が体脂肪計２０の右側面図である。
【００４３】
この体脂肪計２０についても、前記体脂肪計１と同様に、本体２２と、電極台２６、２７とを備えて構成されている。そして、本体２２の先端には操作部１２と表示部１３とが配設される操作パネル部５が設けられている。また、本体２２には、その上の重量を測定できる基準台２３が形成されている。また、この体脂肪計２０についても、体重や体脂肪率の測定にかかる演算処理は、前記図２に示されたデータ処理のブロックによって行われる。
【００４４】
この体脂肪計２０にあっては、基準台２３の表面と、電極台２６、２７の下面は平坦にされている。そして、基準台２３には、電極台２６、２７の前端の位置に対応するガイド２４ａと、電極台２６、２７の後端の位置に対応するガイド２４ｂが設けられている。そして、右足用の電極台２６と左足用の電極台２７とを、ガイド２４ａ、２４ｂに沿わせて横方向Ｌ１に自在に移動させ得るようにされている。
【００４５】
これにより、右足用の電極８、１０と左足用の電極９、１１とを、被検者の身長や肥満の程度（即ち、足の長さや太さ）に応じて位置を変更することができる。これにより、電極台２６、２７に載って生体インピーダンスを測定するにあたり、被検者の体格に合わせて電極の位置の調整を自在に行うことができ、両足間での接触を防ぐことができる一方、安定した直立姿勢を取ることにより足の裏を確実に電極に接触させることもできる。
【００４６】
次に、本発明のさらに他の実施形態について説明する。図４は本発明の他の実施形態である電極移動型体脂肪計３０を示しており、図４（ａ）が体脂肪計３０を上から眺めた平面図であり、図４（ｂ）が体脂肪計３０の右側面図である。この体脂肪計３０についても、前記体脂肪計１や２０と同様に、本体３２と、３６ａ、３７ａ等の電極台とを備えて構成されている。
【００４７】
この体脂肪計３０にあっては、右足用の電極台として、足先用の電極台３６と、踵用の電極台３８とに分離されている。また、左足用の電極台として、足先用の電極台３７と踵用の電極台３９とに分離されている。そして、足先用の電極台３６、３７には電流路形成電極８、９が配設されており、また、踵用の電極台３８、３９には電圧測定用電極１０、１１が配設されている。そして、各電極台３６、３７、３８、３９の下面には、図４（ｂ）の３６ａ、３８ａに示されるような凸状部分が形成されており、後に説明する基準台３３の溝３４ａ、３４ｂ、３５ａ、３５ｂと凹凸に嵌め合わせるようにされている。
【００４８】
また、この体脂肪計３０にあっては、本体３２の基準台３３の表面には、凹状をなす四つの溝３４ａ、３４ｂ、３５ａ、３５ｂが横方向Ｌ１に対して斜めをなす方向に形成されている。即ち、図４に示されるように、基準台３３の右側の領域に形成されている溝３４ａ、３４ｂは基準台３３の右端より外側から内側に向かって互いに近づくように形成されており、溝３４ａには電極台３６が嵌め合わされ、溝３４ｂには電極台３８が嵌め合わされている。また、基準台３３の左側の領域に形成される溝３５ａ、３５ｂは基準台３３の左端より外側から内側に向かって互いに近づくように形成されており、溝３５ａには電極台３７が嵌め合わされ、溝３５ｂには電極台３９が嵌め合わされている。
【００４９】
そして、右足用の電極台３６、３８を各々に溝３４ａ、３４ｂに沿って、左足用の電極台３７、３９を各々に溝３５ａ、３５ｂに沿って移動させることができる。そして、かかる溝に沿って各電極台を移動させ右足用の電極８及び１０と、左足用の電極９及び１１との横方向の相対的な位置を変更できるとともに、各足用の電流路形成電極８、９と電圧測定用電極１０、１１との前後方向Ｌ２における相対的な位置の変更も同時に行うことができる。
【００５０】
これにより、図５に示されるように、被検者の足のサイズに対応させた各足用の電極の前後方向の位置の変更を行うことができる。図５は、被検者の足の裏に電極が接触する状態を左足の例により示した図であり、図５（ａ）が左足の裏を眺めた平面的な図であり、図５（ｂ）が左足を内側から眺めた側面図である。
【００５１】
図５において、５０は足のサイズの大きい被検者の足を示し、該５０に安定して接触させ得るように電流路形成電極９及び電圧測定用電極１１の位置が調整された状態が示される。また、図５において、５１は足のサイズの小さい被検者の足を示し、該足５１に安定して接触させ得るように電流路形成電極９及び電圧測定用電極１１の位置が調整された状態を示している。
【００５２】
そして、この体脂肪計３０によると、電極の位置を横方向Ｌ１と前後方向Ｌ２の双方について同時に変更できるので、多くの被検者にあてはまる、身長等の体格（即ち、足の長さに伴う左右の足間の幅）に見合って足のサイズが変化するという事情に対応させた、電極の横方向Ｌ１の調整と前後方向Ｌ２の調整とを速やかに済ませることができる。しかも、かかる電極の調整が容易な体脂肪計を、極めて簡易な構造によって実現できる。また、右足用の二つの電極台３６、３８及び左足用の二つの電極台３７、３９について、分離された各足用の二つの電極台を一体に移動させ得るように連結しておくと、電極の調整をより容易にでき好ましい。
【００５３】
なお、以上の説明においては、電極台と本体とを凹凸に嵌め合わす例について、一つの電極台の下面の凸部及び本体の基準台の凹部を１条形成する例により説明したが、一つの電極台と基準台との嵌め合わせを、複数条形成された凹凸部分によってなすようにしてもよい。該凹凸部分の構造が極端に複雑化しない程度に凹凸を複数条設けると、本体の基準台と電極台との嵌め合わせをより安定にすることができ、電極台に載ってなされる生体インピーダンスの測定及び体重の測定をより安定にすることができる。
【００５４】
また、以上の説明においては、電極台と基準台とを凹凸によって嵌め合わすにあたり、基準台側を凹状にし電極台側を凸状とする例により説明したが、基準台側を凸状とし、電極台側を凹状とするのであってよい。
【００５５】
また、以上の説明では、一つの凹部分に一つの凸部分が嵌め合わされる例により説明したが、一つの凹部分に二つ以上の凸部分を嵌め合わせるようにしてもよい。例えば、基準台の表面に形成される一条の凹部分に嵌め合わされる一つの電極台側の凸部分として、該一つの電極台の下面に複数のピン状をなす突出部分を形成するのであってもよい。かかる場合でも、電極台と基準台とを互いに嵌め合わせることができるのであればよい。
【００５６】
また、以上の説明では、電極が配設された電極台を移動させることによって電極の位置を変更するようにしたものを説明したが、電極のみを移動するようにしてもよい。即ち、電極を被検者の足の裏に接触させ得るように支持する電極台自体は移動することなく基準台に固定された構造とし、該基準台に対して電極が摺動するようにするのであってもよい。
【００５７】
【発明の効果】
以上に説明したように、本発明の電極移動型体脂肪計は、被検者の体格等に応じて、生体インピーダンスを測定するための各電極の位置を自在に調整することができる。これにより、被検者の体格等に応じて足の裏に安定して電極を接触させることができ、生体インピーダンスの測定の安定を図り正確に測定できるという効果を奏する。
【図面の簡単な説明】
【図１】本発明の一の実施態様にかかる体脂肪計を表す図である。
【図２】本発明の体脂肪計にかかるデータ処理のブロックを表す図である。
【図３】本発明の他の実施態様にかかる体脂肪計を表す図である。
【図４】本発明のさらに他の実施形態にかかる体脂肪計を表す図である。
【図５】足の裏に電極が接触する状態を表す図である。
【符号の説明】
１        電極移動型体脂肪計
２        本体
３        基準台
４        溝
５        操作パネル部
６        （右足用）電極台
７        （左足用）電極台
８        一方の足用の電流路形成電極
９        他方の足用の電流路形成電極
１０        一方の足用の電圧測定用電極
１１        他方の足用の電圧測定用電極
１２        操作部
１３        表示部
１４        ロードセル
１７        記憶部
１８        ＣＰＵ
１９        入出力部
２０        電極移動型体脂肪計
２２        本体
２３        基準台
２４ａ、２４ｂ  ガイド
２６        （右足用）電極台
２７        （左足用）電極台
３０        電極移動型体脂肪計
３２        本体
３４ａ、３４ｂ  （基準台の右側の領域の）溝
３５ａ、３５ｂ  （基準台の左側の領域の）溝
３６        （右足の足先用）電極台
３７        （左足の足先用）電極台
３８        （右足の踵用）電極台
３９        （左足の踵用）電極台
５０、５１  被検者の足
【図１】
0004041612.tif 000002
【図２】
0004041612.tif 000003
【図３】
0004041612.tif 000004
【図４】
0004041612.tif 000005
【図５】
0004041612.tif 000006